(57)【要約】【課題】セキュリティを保ちながら、利便性の高いエンジン始動を可能とするエンジン始動システムを提供する。【解決手段】車両の外部に設けられたドアロックスイッチ４とドアアンロックスイッチ５の操作がされると、通信携帯機１の認証情報を、アンテナ２及び通信部３を介して取得する。取得した認証情報の認証結果が成功の場合、車両制御装置１０は、車両電源部１１の電源状態を制御するとともに、エンジン制御部１２に対してエンジンの始動指示を行う。【選択図】図１
2006291935.tif 000002
【特許請求の範囲】
【請求項１】
車両外部からのエンジンの始動を可能とするエンジン始動システムであって、
使用者の認証情報を取得する認証情報取得部と、
前記車両の外板に設けられ、前記エンジンの始動を操作要求するための外部エンジン始動要求操作部と、
前記認証情報取得部が取得した認証情報に基づく認証処理と、前記エンジンの始動制御を少なくとも含む前記車両の制御を行う車両制御装置と、を備え、
前記車両制御装置は、前記外部エンジン始動要求操作部からの前記操作要求を検出し、かつ前記認証情報取得部が取得した認証情報に基づく認証処理の結果が認証成功であることを条件として、前記エンジンの始動指示を行うエンジン始動システム。
【請求項２】
請求項１記載のエンジン始動システムであって、
前記認証情報取得部は、通信携帯機との間で通信を行う通信アンテナを含み、前記通信携帯機から前記認証情報を取得するエンジン始動システム。
【請求項３】
請求項２記載のエンジン始動システムであって、
前記通信携帯機と前記通信アンテナとの車両外部における通信可能範囲は、前記通信携帯機の所持者が前記外部エンジン始動要求操作部の操作が可能な範囲であるエンジン始動システム。
【請求項４】
請求項１記載のエンジン始動システムであって、
前記認証情報取得部は、使用者の生体情報を認証情報として取得するエンジン始動システム。
【請求項５】
請求項１ないし４のいずれか１項記載のエンジン始動システムであって、
前記外部エンジン始動要求操作部は、第１の外部始動要求スイッチと第２の外部始動要求スイッチを含み、
前記車両制御装置は、前記第１の外部始動要求スイッチと前記第２の外部始動要求スイッチの両方のスイッチの操作を検出した場合に、前記操作要求がされたものと判断するエンジン始動システム。
【請求項６】
請求項５記載のエンジン始動システムであって、
前記第１の外部始動要求スイッチは、前記車両のドアロックを操作要求するためのドアロックスイッチであり、
前記第２の外部始動要求スイッチは、前記車両の前記ドアアンロックを操作要求するためのドアアンロックスイッチであるエンジン始動システム。
【請求項７】
請求項１ないし６のいずれか１項記載のエンジン始動システムであって、
前記車両制御装置は、前記車両のシフトチェンジ用ノブの移動を制限するシフトロック制御機能を有し、前記外部エンジン始動要求操作部の操作に基づいて前記エンジンの始動を行った場合に、前記車両のシフトロックを行うエンジン始動システム。
【請求項８】
請求項７記載のエンジン始動システムであって、
前記車両制御装置は、フットブレーキの操作時に前記通信携帯機からの情報に基づく認証処理を行い、その認証結果が成功の場合に前記車両のシフトロックを解除するエンジン始動システム。
【請求項９】
請求項８記載のエンジン始動システムであって、
前記車両制御装置は、前記フットブレーキの操作時の前記認証処理の結果が不成功の場合に、再度前記フットブレーキの操作による認証開始を促すエンジン始動システム。
【請求項１０】
請求項７ないし９のいずれか１項記載のエンジン始動システムであって、
前記車両制御装置は、車内におけるエンジン始動操作のためのエンジンスタートプッシュスイッチの操作時に前記通信携帯機からの情報に基づく認証処理を行い、その認証結果が成功の場合に前記車両のシフトロックを解除するエンジン始動システム。
【請求項１１】
請求項１０記載のエンジン始動システムであって、
前記車両制御装置は、前記エンジンスタートプッシュスイッチの操作時の前記認証処理の結果が不成功の場合に、再度前記エンジンスタートプッシュスイッチの操作による認証開始を促すエンジン始動システム。
【請求項１２】
請求項１ないし１１のいずれか１項記載のエンジン始動システムであって、
前記車両は、窓の自動開閉を行う窓開閉機構と、車内温度を検知する車内温度検知部と、車内の空調を行う空調機を備えており、
前記車両制御装置は、前記外部エンジン始動要求操作部の操作に基づく前記エンジンの始動制御によるエンジン始動後、前記車内温度検知部が検知した前記車内温度に応じて、前記空調機の始動と、前記窓開閉機構による前記窓の一時的な開放制御を行うエンジン始動システム。
【請求項１３】
請求項１ないし１２のいずれか１項記載のエンジン始動システムであって、
前記車両制御装置は、前記外部エンジン始動要求操作部の操作に基づく前記エンジンの始動制御によるエンジン始動後の経過時間を計測する経過時間計測機能を備え、前記エンジン始動後一定時間継続して、フットブレーキの操作、シフトポジションの変化、又は車速の変化のいずれもない場合に、前記エンジンの停止制御を行うエンジン始動システム。
【請求項１４】
請求項１３記載のエンジン始動システムであって、
前記車両は、ドアの自動ロックを行うドア自動ロック機構を備えており、
前記車両制御装置は、前記エンジンの停止制御を行った場合、前記エンジンを停止してから一定時間経過後に、前記自動ドアロック機構によるドアのロックを行うエンジン始動システム。
【発明の詳細な説明】
【技術分野】
【０００１】
本発明は、車両外部からのエンジンの始動を可能とするエンジン始動システムに関する。
【背景技術】
【０００２】
使用者が携帯する通信携帯機と車両との間で必要な情報の通信を行うことにより、車両のドアの開閉を行ったり、エンジンの始動を行ったりするものが知られている（例えば、特許文献１参照）。また、冬季のアイドリング等のために、車両からかなり離れた屋内からでもエンジンの始動を可能とする遠隔操作システムも知られており（例えば、特許文献２参照）、車両外部からエンジンの始動ができると、乗車前にトランクや各席ドアの開閉中にエンジンのアイドリングや車内空調を行うことができ、利便性が高い。
【０００３】
しかし、上記従来のものは、いずれも車両から離れた位置からエンジンの始動を行うものであるので、使用者が車両の監視ができない状態でエンジンが始動と、セキュリティが解除されるために、使用者の負担が避けられない。
【０００４】
【特許文献１】特開２００３−２５４２１０号公報
【特許文献２】特開平１０−２１１８６８号公報
【発明の開示】
【発明が解決しようとする課題】
【０００５】
本発明は、上記事情に鑑みなされたもので、セキュリティを保ちながら、利便性の高いエンジン始動を可能とするエンジン始動システムを提供することを目的とする。
【課題を解決するための手段】
【０００６】
本発明のエンジン始動システムは、車両外部からのエンジンの始動を可能とするものであって、使用者の認証情報を取得する認証情報取得部と、前記車両の外板上に設けられ、前記エンジンの始動を操作要求するための外部エンジン始動要求操作部と、前記認証情報取得部が取得した認証情報に基づく認証処理と、前記エンジンの始動制御を少なくとも含む前記車両の制御を行う車両制御装置と、を備え、前記車両制御装置は、前記外部エンジン始動要求操作部からの前記操作要求を検出し、かつ前記認証情報取得部が取得した認証情報に基づく認証処理の結果が認証成功であることを条件として、前記エンジンの始動指示を行うものである。
【０００７】
本発明によれば、車両の外板上に設けられた外部エンジン始動要求操作部の操作要求と使用者の認証結果に基き、使用者の一操作で外部からのエンジン始動とドアロック解除を行うので、セキュリティを保ちながら、利便性の高いエンジン始動を行うことができる。
【０００８】
本発明のエンジン始動システムは、前記認証情報取得部が、通信携帯機との間で通信を行う通信アンテナを含み、前記通信携帯機から前記認証情報を取得するものを含む。本発明によれば、使用者が通信携帯機を所持した状態で認証処理がされるので、認証処理が簡単に行うことができ、使用者の利便性がさらに向上する。
【０００９】
本発明のエンジン始動システムは、前記通信携帯機と前記通信アンテナとの車両外部における通信可能範囲が、前記通信携帯機の所持者が前記外部エンジン始動要求操作部の操作が可能な範囲であるものを含む。本発明によれば、使用者が車両の監視が確実にできる状態でのみ、認証処理がおこなわれるので、セキュリティをさらに確実に保つことができる。
【００１０】
本発明のエンジン始動システムは、前記認証情報取得部が、使用者の生体情報を認証情報として取得するものを含む。本発明によれば、本人以外のものによるエンジンの始動を避けることができる。
【００１１】
本発明のエンジン始動システムは、前記外部エンジン始動要求操作部が、第１の外部始動要求スイッチと第２の外部始動要求スイッチを含み、前記車両制御装置が、前記第１の外部始動要求スイッチと前記第２の外部始動要求スイッチの両方のスイッチの操作を検出した場合に、前記操作要求がされたものと判断するものを含む。本発明によれば、２つのスイッチが操作された場合にのみエンジンの始動がされるので、誤始動を減少させることができる。
【００１２】
本発明のエンジン始動システムは、前記第１の外部始動要求スイッチが、前記車両のドアロックを操作要求するためのドアロックスイッチであり、前記第２の外部始動要求スイッチが、前記車両の前記ドアアンロックを操作要求するためのドアアンロックスイッチであるものを含む。本発明によれば、ドア操作用のスイッチを利用するので、エンジン始動用の特別のスイッチが不要となり、構成を簡単にすることができる。
【００１３】
本発明のエンジン始動システムは、前記車両制御装置が、前記車両のシフトチェンジ用ノブの移動を制限するシフトロック制御機能を有し、前記外部エンジン始動要求操作部の操作に基づいて前記エンジンの始動を行った場合に、前記車両のシフトロックを行うものを含む。本発明によれば、外部からエンジンを始動しても、第三者による車両の運転を確実に防止することができる。
【００１４】
本発明のエンジン始動システムは、前記車両制御装置が、フットブレーキの操作時に前記通信携帯機からの情報に基づく認証処理を行い、その認証結果が成功の場合に前記車両のシフトロックを解除するものを含む。本発明によれば、シフトロックの解除を通常の運転操作により行うことができるので、使用者の負担が軽減する。
【００１５】
本発明のエンジン始動システムは、前記車両制御装置が、前記フットブレーキの操作時の前記認証処理の結果が不成功の場合に、再度前記フットブレーキの操作による認証開始を促すものを含む。本発明によれば、使用者がシフトロック解除できない理由を確実に認識できる。
【００１６】
本発明のエンジン始動システムは、前記車両制御装置が、車内におけるエンジン始動操作のためのエンジンスタートプッシュスイッチの操作時に前記通信携帯機からの情報に基づく認証処理を行い、その認証結果が成功の場合に前記車両のシフトロックを解除するものを含む。本発明によれば、シフトロックの解除を簡単な操作により行うことができるので、使用者の負担が軽減する。
【００１７】
本発明のエンジン始動システムは、前記車両制御装置が、前記エンジンスタートプッシュスイッチの操作時の前記認証処理の結果が不成功の場合に、再度前記エンジンスタートプッシュスイッチの操作による認証開始を促すものを含む。本発明によれば、使用者がシフトロック解除できない理由を確実に認識できる。
【００１８】
本発明のエンジン始動システムは、前記車両が、窓の自動開閉を行う窓開閉機構と、車内温度を検知する車内温度検知部と、車内の空調を行う空調機を備えており、前記車両制御装置が、前記外部エンジン始動要求操作部の操作に基づく前記エンジンの始動制御によるエンジン始動後、前記車内温度検知部が検知した前記車内温度に応じて、前記空調機の始動と、前記窓開閉機構による前記窓の一時的な開放制御を行うものを含む。本発明によれば、車両の外部から車室内の空調を迅速かつ効率的に行うことができる。
【００１９】
本発明のエンジン始動システムは、前記車両制御装置が、前記外部エンジン始動要求操作部の操作に基づく前記エンジンの始動制御によるエンジン始動後の経過時間を計測する経過時間計測機能を備え、前記エンジン始動後一定時間継続して、フットブレーキの操作、シフトポジションの変化、又は車速の変化のいずれもない場合に、前記エンジンの停止制御を行うものを含む。本発明によれば、外部からのエンジン始動後のエンジン停止を、車両の利用を中止した場合等に自動的に行うことができる。
【００２０】
本発明のエンジン始動システムは、前記車両が、ドアの自動ロックを行うドア自動ロック機構を備えており、前記車両制御装置が、前記エンジンの停止制御を行った場合、前記エンジンの停止してから一定時間経過後に、前記自動ドアロック機構によるドアのロックを行うものを含む。本発明によれば、外部からのエンジン始動後に車両の利用を中止した場合等でも、自動的にドアロックが行われるので、セキュリティがさらに向上する。
【発明の効果】
【００２１】
以上の説明から明らかなように、本発明によれば、ドアロックの解除とエンジンの始動を利用者の一操作で行えるため、セキュリティを保ちながら、利便性の高いエンジン始動を可能とするエンジン始動システムを提供することができる。
【発明を実施するための最良の形態】
【００２２】
以下、本発明の実施の形態について、図面を用いて説明する。
【００２３】
（第１の実施の形態）
図１は、本発明の第１の実施の形態のエンジン始動システムを説明するための車両制御システムの概略構成を示す図である。図１の車両制御システムは、車両制御装置１０によって制御される車両電源部１１、エンジン制御部１２、エンジン１３、車両の使用者が操作するドアロックスイッチ４、ドアアンロックスイッチ５、エンジンスタートプッシュスイッチ６、使用者の認証情報が記憶された通信携帯機１、通信携帯機１の認証情報の取得に利用されるアンテナ２、通信部３、車両制御システムの動作状態等を報知する報知部７を含む。
【００２４】
通信携帯機１は、使用者が車両の利用時に所持するものであり、少なくとも使用者の認証を行うための認証情報を保持している。認証情報は、例えばＩＤコードである。通信携帯機１は、アンテナ２を介して通信部３との間で情報の送受信が可能であり、認証情報の送信要求を受信した場合には、保持している認証情報を送信する。
【００２５】
アンテナ２及び通信部３は、通信携帯機１との情報の送受信を行うものであり、車両制御装置１０からの要求があった場合に、通信携帯機１と通信を行って、通信携帯機１に保持されている認証情報を取得する。図１の車両制御システムは、通信部３を車両制御装置１０と別の要素として構成したが、通信部３を車両制御装置１０内に設けてもよい。また、アンテナ２は、通信携帯機１が車両外部に存在する場合と、車両内部に存在する場合とを区別して通信可能となっている。車両の内外を区別するためには、例えば、指向性と通信可能範囲を異ならせて配置した複数のアンテナを利用する。車両外部に存在する通信携帯機１と通信を行うためのアンテナ２の通信可能範囲は、通信携帯機１の所持者がドアロックスイッチ４、ドアアンロックスイッチ５の操作が可能な範囲である。この通信可能範囲は、さらに広げてもよいが、使用者が車両の監視が確実にできる範囲とするのが好ましい。
【００２６】
なお、図１の車両制御システムでは、使用者の認証を行うための認証情報として通信携帯機１に保持したＩＤコード等の情報を利用したが、認証情報としては、顔、指紋、虹彩、静脈等を利用した生体情報を利用することもできる。生体情報を利用する場合は、アンテナ２、通信部３に換えて、生体情報を取得するための手段を設ける。例えば、顔や虹彩を利用する場合は、使用者を撮影するカメラを設ける。
【００２７】
ドアロックスイッチ４及びドアアンロックスイッチ５は、車両外板に設けられ、使用者がドアの車両外部でドアのロック又はアンロックを行う場合に操作するものである。ドアロックスイッチ４は、例えばドアノブ表面に設けられ、ドアアンロックスイッチ５は、例えばドアノブ裏面に設けられる。
【００２８】
ドアロックスイッチ４及びドアアンロックスイッチ５の状態は、車両制御装置１０に入力され、通信携帯機１の認証情報を利用した認証が成功の場合、図示しない制御部によりドアがロック又はアンロックされる。また、ドアロックスイッチ４及びドアアンロックスイッチ５は、両方のスイッチが操作することにより、エンジン１３の始動を車両外部から操作要求するためのスイッチとしても機能する。この外部エンジン始動要求操作部としての機能については後述する。なお、図１の車両制御システムでは、外部エンジン始動要求操作部としてドアロックスイッチ４とドアアンロックスイッチ５を利用したが、専用の２つのスイッチを利用してもよい、また、専用の１つのスイッチを利用してもよい。
【００２９】
エンジンスタートプッシュスイッチ（以下、単に「スタートスイッチ」と記述する。）６は、エンジン１３の始動、停止を含む車両の電源供給状態を制御するために操作されるプッシュスイッチであり、使用者が車両の運転席に着座した状態で容易に操作できる位置に配置される。
【００３０】
報知部７は、車両の状態を使用者に報知するためのもので、表示装置、スピーカ等である。
【００３１】
車両電源部１１は、車両各部の電装品に電源を供給するものであり、車両制御装置１０の制御に基づき、電源ＯＦＦ状態、ＡＣＣ状態、ＩＧ状態、ＳＴ状態の４つの状態を遷移する。電源ＯＦＦ状態は、電装品が停止している状態であり、エンジンも停止している。ＡＣＣ状態は、オーディオ機器等の車両の補助的な電装品にのみ電源が供給される状態であり、この状態でもエンジンは停止している。ＩＧ状態は、車両のすべての電装品に電源が供給されている状態であるが、エンジンは回転中の場合も停止中の場合もある。ＳＴ状態は、エンジンを始動させる状態であり、セルモータ等を駆動してエンジンをクランキングする状態である。
【００３２】
エンジン制御部１２は、エンジン１３の制御を行うもので、車両電源部１１がＳＴ状態となり、車両制御装置からエンジン始動の指示があるとエンジンの始動を行う。エンジン回転検知部１４は、エンジン１３の回転を検知するものである。なお、図１の車両制御システムでは、車両電源部１１をエンジン制御部１２に接続しているが、車両電源部１１を回路接続／開放スイッチを経由してエンジン始動のためのセルモータ（図示せず）の電源に接続し、回路接続／開放スイッチをエンジン制御部１１が制御する構成にしてもよい。
【００３３】
シフト状態検出部１５は、車両のシフトポジション状態を検出するものである。フットブレーキ状態検知部１６は、車両のフットブレーキが操作された状態（踏まれた状態）か、非操作の状態（踏まれていない状態）かを検知するものである。車速検知部１７は、車両の速度を検知するもので、少なくとも車両の速度が０か否かを示す信号を出力する。
【００３４】
車両制御装置１０は、通信携帯機１からアンテナ２、通信部３を介して取得した認証情報に基づく認証処理と、車両の電源制御、エンジン１３の始動制御を含む車両の制御を行うものである。エンジンの始動制御には、ドアロックスイッチ４とドアアンロックスイッチ５が操作された場合の始動制御を含む。車両制御部１０は、例えば、所定のプログラムを実行するプロセッサを主体に構成され、内部には、必要なプログラム記憶領域、パラメータ記憶領域、フラグデータ記憶領域、タイマ情報記憶領域を含むメモリを備える。
【００３５】
車両制御装置１０は、スタートスイッチ６の操作に基づいてエンジン１３の始動制御を行うとともに、ドアロックスイッチ４及びドアアンロックスイッチ５の操作に基づく始動制御も行う。スタートスイッチ６の操作に基づく始動制御は、従来のものと同様であるので、説明を省略する。
【００３６】
ドアロックスイッチ４とドアアンロックスイッチ５が順に操作されると、車両制御装置１０は、通信携帯機１から取得した認証情報に基づく認証処理を行い、認証成功の場合は、エンジン１３を始動させる。その後、使用者は、ドアやトランクの開閉を行って荷物の出し入れ等を行うことができる。この方法で車両外部からエンジンを始動させた場合、エンジンの停止は、車両内部のスタートスイッチ６の操作で行うことができる。また、ドアロックスイッチ４の操作で行うようにしてもよい。さらに、外部からのエンジン始動後、使用者による操作が何らされない場合、所定時間経過後、自動的に停止させることもできる。
【００３７】
図２に、本発明の第１の実施の形態のエンジン始動システムにおけるエンジン始動の概略動作フローの一例を示す。図２の動作フローは、車両外部からエンジンの始動を要求した場合のものであり、使用者による操作が何らされない場合、所定時間経過後、自動的に停止させるようにした場合のものである。
【００３８】
車両電源部１１の状態が電源ＯＦＦ状態でドアロックスイッチ４とドアアンロックスイッチ５が順に操作されると、認証以外のエンジン始動条件が成立しているかどうかの判断を行う（ステップＳ１０１）。ここでのエンジン始動条件は、シフト状態がパーキング位置（以下、「シフトＰ」と記述する場合もある。）で、かつ、フットブレーキが非操作（以下、単に「ブレーキＯＦＦ］と記述する場合もある。）であることである。エンジン始動条件が成立しない場合はそのまま処理を終了し、成立する場合は、通信携帯機１から認証情報を取得し（ステップＳ１０２）、取得した認証情報に基づく認証処理を行う（ステップＳ１０３）。認証処理は、例えば、認証情報であるＩＤコードと予め車両内部（例えば、車両制御装置内のメモリ）に記憶したＩＤコードとの対比を行い、一致するかどうかを判定する。そして、一致する場合には認証成功と判断し、一致しない場合は認証不成功と判断する（ステップＳ１０４）。なお、認証情報の取得ができない場合も認証不成功と判断する。
【００３９】
認証不成功の場合はそのまま処理を終了し、認証成功の場合は、電源状態をＡＣＣ状態に遷移させる（ステップＳ１０５）。次いで、ＩＧ状態に遷移させて（ステップＳ１０６）車両のすべての電装品に電源を供給し、さらにＳＴ状態に遷移させて（ステップＳ１０７）エンジンを始動させる。
【００４０】
そして、再度ＩＧ状態に遷移させ（ステップＳ１０８）、車両制御装置１０内部の作動継続タイマ（図示せず）を動作させる。作動継続タイマは、外部からのエンジン始動後、使用者による操作が何らされない時間を計測するためのものであり、ハードウェアタイマでもソフトウェアタイマでもよい。なお、ＳＴ状態でエンジンの始動が成功した場合（エンジンが良好に始動した場合）は、始動確認後ＩＧ状態に遷移させ、クランキング期間が一定時間（例えば５秒）継続した場合は、始動が不成功としてＩＧ状態に遷移させる。
【００４１】
ステップＳ１０９では、車両の利用操作があったかどうかを判断する。ここでの利用操作は、フットブレーキの操作、シフトポジションの変化、又は車速の変化があったかどうかで判断し、いずれかがあった場合は利用操作有りと判断する。フットブレーキの操作はフットブレーキ状態検知部１６からの信号によって判断し、シフトポジションの変化はシフト状態検出部１５からの信号によって判断し、車速の変化は車速検知部１７からの信号によって判断する。利用操作の有無の判断に他の機器、要素の状態を利用することも可能であるが、ドアの開閉やトランクの開閉操作は含めない。
【００４２】
ステップＳ１０９で利用操作ありと判断した場合、作動継続タイマをリセットして（ステップＳ１１２）終了する。利用操作がない場合は、ステップＳ１１０で作動継続タイマがタイムアップしたかどうかを判断し、タイムアップしていない場合はステップＳ１０９に戻る。作動継続タイマがタイムアップしている場合は、外部からのエンジン始動後、使用者による操作が何らされていないことを示しているので、電源ＯＦＦ状態に遷移させて（ステップＳ１１１）エンジンを停止させる。なお、図２のエンジン始動の概略動作フローでは、始動条件成立の判断（ステップＳ１０１）を、認証成功の判断（ステップＳ１０４）の前に実施しているが、始動条件成立の判断（ステップＳ１０１）を、認証成功の判断（ステップＳ１０４）の後に行ってもよい。また、始動継続タイマリセットの条件となる利用操作にドアの開閉やトランクの開閉操作を含めていないので、荷物の出し入れ後、忘れ物等で車両を離れた場合でも所定時間後に電源ＯＦＦ状態となってエンジンが停止することになり、盗難の危険性が減少する。
【００４３】
（第２の実施の形態）
図３は、本発明の第２の実施の形態のエンジン始動システムを説明するための車両制御システムの概略構成を示す図である。図３の車両制御システムは、車両制御装置１０によって制御されるシフトロック制御部２１が追加されていることを除き、図１の車両制御システムと同様であるので、図１の車両制御システムが有する要素の機能及び動作については、説明を省略する。
【００４４】
シフトロック制御部２１は、車両のシフトチェンジ用ノブの移動を制限するシフトロック制御を行うもので、車両制御装置１０から指示に基づきシフトロックを行う。シフトロックは、外部からエンジン始動を行った場合、第三者による車両の運転操作を制限するために行うものである。車両制御装置１０は、図２に示すフローのステップＳ１０４で、認証成功となった場合、電源をＡＣＣ状態に遷移させるとともに、シフトロック指示をシフトロック制御部に出力する。
【００４５】
シフトロックの解除は、フットブレーキの操作時又はエンジンスタートプッシュスイッチの操作時に、通信携帯機１から認証情報を取得して認証処理を行い、認証成功の場合に行う。このような解除方法を採用することにより、第三者による車両の運転を確実に防止することができる。
【００４６】
フットブレーキの操作又はエンジンスタートプッシュスイッチ６の操作によって、シフトロックの解除が行われない場合、すなわち、認証が不成功の場合は、その旨を報知部７に報知し、再度フットブレーキの操作又はエンジンスタートプッシュスイッチの操作を行うことを促す。したがって、使用者は、シフトロックが解除されていないことを確実に認識することができ、戸惑うことがなくなる。
【００４７】
図４は、第２の実施の形態のエンジン始動システムにおけるシフトロック解除動作の概略フローを示す図である。車両外部からのエンジンの始動が行われた後、ステップＳ２０１で、フットブレーキの操作の有無をフットブレーキ状態検知部１６からの信号に基づいて判断し、フットブレーキの操作がない場合はステップＳ２０１に戻る。
【００４８】
フットブレーキの操作があった場合、通信携帯機１から認証情報を取得し（ステップＳ２０２）、取得した認証情報に基づく認証処理を行う（ステップＳ２０３）。そして、ステップＳ２０４で認証結果を判断し、成功の場合はシフトロックを解除する（ステップＳ２０５）。認証結果が不成功の場合は、そのまま終了するので、シフトロック状態が継続する。なお、ステップＳ２０１でフットブレーキの操作がない場合に、スタートスイッチ６の操作の有無を判断するステップを追加し、スタートスイッチ６の操作がある場合にステップＳ２０２に移り、操作がない場合にステップＳ２０１に戻るようにしてもよい。スタートスイッチ６の操作の有無を判断するステップを追加すると、フットブレーキの操作又はスタートスイッチ６の操作のいずれかがあった場合にシフトロックを解除することが可能となり、操作性が向上する。また、ステップＳ２０１をスタートスイッチ６の操作の有無を判断するステップとし、スタートスイッチ６の操作があった場合にシフトロックを解除するようにしてもよい。
【００４９】
次に、車両電源部１１の電源状態の遷移について、説明する。図５は、第２の実施の形態のエンジン始動システムにおける車両電源状態の状態遷移の要部を示す状態遷移図であり、図６には、図５中で使用している語句及び記号の意味を示す。図５には、車両外部からのエンジン始動に関連する部分の状態を示してあり、他の操作に関連する部分は省略してある。なお、図５における「条件」は電源状態が遷移する条件を示し、「付加処理」は電源状態遷移条件が満足した場合に、電源状態の遷移とともに行う処理である。先に説明したように、電源状態は電源ＯＦＦ状態と電源ＯＮ状態に分けられ、電源ＯＮ状態には、ＡＣＣ状態、ＩＧ状態、及びＳＴ状態の３種類の状態が存在する。また、電源ＯＦＦ状態では、車両外部からのエンジン始動に関連するシフトロック制御は、シフトロック解除状態であり、外部始動フラグ及び外部始動履歴フラグはともにリセット状態（＝０）である。
【００５０】
遷移１は、ドアロックスイッチ４及びドアアンロックスイッチ５の操作によってエンジン１３の始動が行われる場合の最初の遷移であり、電源ＯＦＦ状態からＡＣＣ状態に遷移する。その時、外部始動フラグがセット（＝１）され、シフトロックが指示されてシフトロック状態となる。外部始動フラグは、外部からのエンジン始動のための状態遷移が自動的に行われるか否かを示すフラグである。
【００５１】
遷移２は、遷移条件が（外部始動フラグ＝１）であるので、遷移１に続いて自動的に行われ、電源状態はＩＧ状態となる。遷移３は、ＩＧ状態からＳＴ状態への遷移であり、（外部始動フラグ＝１）であるとともにシフト位置がパーキングでフットブレーキが非操作の場合が遷移条件である。遷移２に続いて遷移３が実行され、ＳＴ状態となってエンジンの始動が行われる。
【００５２】
遷移４は、エンジン始動後に再度ＩＧ状態に戻る遷移であり、エンジンの始動成功不成功に拘わらず遷移する。この遷移に際しては、外部始動フラグがリセットされ、外部始動履歴フラグがセットされる。
【００５３】
遷移５は、ＩＧ状態でスタートスイッチ６の操作がされた場合の遷移であり、車両速度が０の場合にＡＣＣ状態（遷移６）又は電源ＯＦＦ状態（遷移７）に遷移する。ＡＣＣ状態へは、シフト位置がニュートラルのときに遷移し、電源ＯＦＦ状態へは、シフト位置がパーキングでＰＷＢフラグがリセット（＝０）されているのときに遷移する。なお、ＰＷＢフラグは、フットブレーキを操作してスタートスイッチ６を操作したときにセット（＝１）され、セット後所定時間（例えば３秒）経過したとき、又はフットブレーキを非操作としてスタートスイッチを操作したときにリセットされるものである。
【００５４】
遷移８、９、１０は、電源ＯＮ状態から電源ＯＦＦ状態への遷移である。遷移８の遷移条件に示すように、ドアロックスイッチが操作された場合に電源ＯＦＦ状態になる。したがって、外部からのエンジン始動要求した後、ＳＴ状態を経てＩＧ状態に遷移しない（外部始動フラグ＝１のままである。）場合に、ドアロックスイッチを操作することにより、所定の条件で電源ＯＦＦ状態とすることができる。
【００５５】
遷移９は、エンジン始動後に自動的に停止させる場合の遷移であり、遷移条件のタイムアップは、先に述べた作動継続タイマがタイムアップしたことを示すものである。また、遷移１０は、エンジンを停止させて車両の使用を終了する場合の遷移である。
【００５６】
遷移１１は、外部からのエンジン始動要求した後、ＳＴ状態を経てＩＧ状態に遷移しない（外部始動フラグ＝１のままである。）場合に、フットブレーキを操作することによりＡＣＣ状態に遷移させるものである。
【００５７】
図５の状態遷移図は、第２の実施の形態のエンジン始動システムにおける車両電源状態の状態遷移を示すものであるが、第１の実施の形態のエンジン始動システムにおける車両電源状態の状態遷移もほぼ同様である。第１の実施の形態においては、遷移１の付加処理にシフトロック指示が行われない。
【００５８】
（第３の実施の形態）
図７は、本発明の第３の実施の形態のエンジン始動システムを説明するための車両制御システムの概略構成を示す図である。図７の車両制御システムは、車内温度センサ３１が追加され、その出力が車両制御装置１０に入力される点、及び車両制御装置１０によって制御される空調制御部２１と窓開閉制御部３３が追加されていることを除き、図１の車両制御システムと同様である。
【００５９】
車内室内センサ３１は、車両内部の温度を検出するもので、車内空調に利用される。空調制御部３２は、図示しない空調機器の制御を行うもので、通常車内温度及び車両制御装置１０の指示に基づいて空調機器の制御を行う。窓開閉制御部３２は、車両の１又は複数の窓の開閉を制御するもので、車両制御装置１０の指示に基づいて行う。
【００６０】
次に、ドアロックスイッチ４及びドアアンロックスイッチ５の操作に基づくエンジン始動が行われた場合の車内空調について説明する。エンジンが正常に始動すると車両制御装置１０は、車内温度に応じて空調機器の動作を空調制御部３２に指示する。その際、窓を開放して外気を車内に導入した方がよいと判断できる車内温度の場合は、窓開閉制御部３３に一時的な窓の開放を指示を行う。
【００６１】
窓の開放は、例えば、車内温度が異常に高い場合等に行う。開放時間も車内温度に応じて制御してもよい。車両が外気温度を検出する外気温センサを備えている場合は、外気温度と車内温度との差によって、窓の開放制御を行ってもよい。
【００６２】
（第４の実施の形態）
図８は、本発明の第４の実施の形態のエンジン始動システムを説明するための車両制御システムの概略構成を示す図である。図８の車両制御システムは、図３の車両制御システム及び図７の車両制御システムで追加された要素の両方が追加されていることを除き、図１の車両制御システムと同様である。
【００６３】
図３の車両制御システムで追加されたシフトロック制御部２１の機能及び動作は、第２の実施の形態で説明したとおりであり、また、図７の車両制御システムで追加された車内温度センサ３１、空調制御部、及び窓開閉制御部３３についても、第３の実施の形態で説明したとおりであるので、説明を省略する。図８の車両制御システムは、第１ないし第３の実施の形態で説明した機能をすべて備えるものである。
【００６４】
（第５の実施の形態）
図９は、本発明の第５の実施の形態のエンジン始動システムを説明するための車両制御システムの概略構成を示す図である。図９の車両制御システムは、車両制御装置１０によって制御されるドアロック制御部４１が追加されていることを除き、図１の車両制御システムと同様であるので、図１の車両制御システムが有する要素の機能及び動作については、説明を省略する。
【００６５】
ドアロック制御部４１は、車両制御装置１０の指示に基づいてドアの自動ロックを行うものである。車両制御装置１０は、外部からのエンジン始動後に使用者による操作が何らされない場合、所定時間経過後にエンジンを自動的に停止させるが、その際ドアも自動的にロックするものである。
【００６６】
図１０は、本発明の第５の実施の形態のエンジン始動システムにおけるドアロック処理の概略動作フローを示す図である。図１０のドアロック処理は、図２のステップＳ１１１に続いて実行される。すなわち、作動継続タイマがタイムアップした場合には電源ＯＦＦ状態に遷移するが、その後ドアロック処理を行う。
【００６７】
ステップＳ３０１では、エンジン回転検知部１４からの信号に基づきエンジンが停止したかどうかを判断する。エンジン停止を検知すると、ドアロックタイマ（図示せず）を起動する（ステップＳ３０２）。ドアロックタイマは、ハードウェアタイマでもソフトウェアタイマでもよい。ドアロックタイマの設定時間は、例えば５００ｍｓである。
【００６８】
ステップＳ３０３では、ドアロックタイマのタイムアップを判断し、タイムアップを検知すると、ステップＳ３０４で、ドアロック制御部４１にドアロック指示を行い。ドアをロックする。以上のドアロック処理は、図５の電源状態の遷移９において、付加処理として「エンジン停止後、５００ｍｓ経過後にドアロック」を追加することで実行される。なお、車外からのエンジン始動後の所定時間経過後のエンジン自動停止時（図５の電源状態の遷移９）に限らず、車外からのエンジン停止時（例えば、図５の電源状態の遷移１０又は遷移７又は遷移８）いずれかに、エンジン停止後、一定時間後に自動ドアロックしてもよい。
【００６９】
このように、外部から始動したエンジンを自動的に停止させたときは、自動的にドアロックが行われるので、セキュリティがさらに向上する。なお、図９のエンジン始動システムは、第１の実施の形態のエンジン始動システムにドアロック機能を付加したものであるが、第２〜第４の実施の形態のエンジン始動システムに対しても同様のドアロック機能を付加することができる。
【産業上の利用可能性】
【００７０】
本発明は、車両の外板上に設けられた外部エンジン始動要求操作部の操作要求と使用者の認証結果に基づいて外部からのエンジン始動を行うので、セキュリティを保ちながら、利便性の高いエンジン始動を行うことができるエンジン始動システム等として有用である。
【図面の簡単な説明】
【００７１】
【図１】本発明の第１の実施の形態のエンジン始動システムを説明するための車両制御システムの概略構成を示す図
【図２】本発明の第１の実施の形態のエンジン始動システムにおけるエンジン始動の概略動作フローを示す図
【図３】本発明の第２の実施の形態のエンジン始動システムを説明するための車両制御システムの概略構成を示す図である。
【図４】第２の実施の形態のエンジン始動システムにおけるシフトロック解除動作の概略フローを示す図
【図５】第２の実施の形態のエンジン始動システムにおける車両電源状態の状態遷移の要部を示す状態遷移図
【図６】第２の実施の形態のエンジン始動システムにおける車両電源状態の状態遷移の要部を示す状態遷移図の語句及び記号の意味を示す図
【図７】本発明の第３の実施の形態のエンジン始動システムを説明するための車両制御システムの概略構成を示す図
【図８】本発明の第４の実施の形態のエンジン始動システムを説明するための車両制御システムの概略構成を示す図
【図９】本発明の第５の実施の形態のエンジン始動システムを説明するための車両制御システムの概略構成を示す図
【図１０】本発明の第５の実施の形態のエンジン始動システムにおけるドアロック処理の概略動作フローを示す図
【符号の説明】
【００７２】
１・・・通信携帯機
２・・・アンテナ
３・・・通信部
４・・・ドアロックスイッチ
５・・・ドアアンロックスイッチ
６・・・エンジンスタートプッシュスイッチ
７・・・報知部
１０・・・車両制御装置
１１・・・車両電源部
１２・・・エンジン制御部
１３・・・エンジン
１４・・・エンジン回転検知部
１５・・・シフト状態検出部
１６・・・フットブレーキ状態検知部
１７・・・車速検知部
２１・・・シフトロック制御部
３１・・・車内温度センサ
３２・・・空調制御部
３３・・・窓開閉制御部
４１・・・ドアロック制御部
【図１】
2006291935.tif 000003
【図２】
2006291935.tif 000004
【図３】
2006291935.tif 000005
【図４】
2006291935.tif 000006
【図５】
2006291935.tif 000007
【図６】
2006291935.tif 000008
【図７】
2006291935.tif 000009
【図８】
2006291935.tif 000010
【図９】
2006291935.tif 000011
【図１０】
2006291935.tif 000012